(57)【特許請求の範囲】
【請求項１】
液状化粧料を収容する収容部を内部に有する容器本体と、
筒状に構成されて前記容器本体の先端側に位置し筒孔が前記収容部に連通する先筒と、
前記容器本体及び前記先筒内に配置され前記液状化粧料を送るための中継芯と、を備え、
前記中継芯は、後端が前記収容部内に位置すると共に、先端が前記先筒の先端の開口から突出して塗布部を形成し、
前記先筒は、その先端側に、前記容器本体の軸心に対して傾斜した傾斜部を有し、
前記中継芯は、前記傾斜部の筒孔に倣って傾斜し、
傾斜した前記中継芯が前記液状化粧料を含浸する前において、前記傾斜部の筒孔の軸心は、前記傾斜部の軸心が前記容器本体の軸心に対して傾斜する傾斜方向と同方向に、さらに前記傾斜部の軸心より傾斜していることを特徴とする液状化粧料容器。
【発明の詳細な説明】
【技術分野】
【０００１】
本発明は、液状化粧料容器に関する。
【背景技術】
【０００２】
従来、化粧品溶液を含浸した含浸体を長尺な軸筒内に収容し、フェルト材等から成る塗布棒の後端を、含浸体に差し込むと共に、塗布棒の先端側部分を軸筒先端で保持し、この塗布棒の先端を塗布部としたペンシル型の塗布用容器が知られている（例えば、特許文献１参照）。この塗布用容器では、塗布棒の毛細管現象を利用して、含浸体の化粧品溶液を吸い上げて塗布部に送り、皮膚等の被塗布部に塗布できるようになっている。
【先行技術文献】
【特許文献】
【０００３】
【特許文献１】実開平３−４１６０９号公報
【発明の概要】
【発明が解決しようとする課題】
【０００４】
このようなペンシル型の塗布用容器にあっては、鏡を見ながら化粧をする際に、軸筒が邪魔になって塗布先が見難く、改善が求められている。
【０００５】
そこで、本発明は、鏡を見ながら化粧をする際に容器が邪魔にならず塗布先が見やすく、使用性を向上できる液状化粧料容器を提供することを目的とする。
【課題を解決するための手段】
【０００６】
本発明による液状化粧料容器は、液状化粧料を収容する収容部を内部に有する容器本体と、筒状に構成されて容器本体の先端側に位置し筒孔が収容部に連通する先筒と、容器本体及び先筒内に配置され液状化粧料を送るための中継芯と、を備え、中継芯は、後端が収容部内に位置すると共に、先端が先筒の先端の開口から突出して塗布部を形成し、先筒は、その先端側に、容器本体の軸心に対して傾斜した傾斜部を有し、中継芯は、傾斜部の筒孔に倣って傾斜し、傾斜した中継芯が液状化粧料を含浸する前において、傾斜部の筒孔の軸心は、傾斜部の軸心が容器本体の軸心に対して傾斜する傾斜方向と同方向に、さらに傾斜部の軸心より傾斜していることを特徴としている。
【０００７】
このような液状化粧料容器によれば、容器本体の先端側の先筒が、容器本体の軸心に対して傾斜する傾斜部を有する構成のため、鏡を見ながら化粧をする際に容器が邪魔にならず塗布先が見やすく、使用性を向上できる。
【０００８】
ここで、本発明者は、傾斜した中継芯が液状化粧料を含浸すると、傾斜する前の状態に戻るように反り返る特性を有し、傾斜部内では筒孔に倣って傾斜しているが、先筒の先端の開口から突出する塗布部にあっては、傾斜する前の状態に戻るように反ってしまうことを見出した。そして、このように塗布部が反った状態では、傾斜部の軸心から塗布部の軸心がずれてしまい（偏心してしまい）、塗布がし難い（描き難い）ことを見出した。
【０００９】
そこで、本発明による液状化粧料容器では、傾斜部の筒孔の軸心が、傾斜部の軸心が容器本体の軸心に対して傾斜する傾斜方向と同方向に、さらに傾斜部の軸心より傾斜するという構成を採用することによって、先筒の先端の開口から突出する塗布部が元に戻ろうと反ると、傾斜部の軸心に塗布部の軸心が近付き、傾斜部と塗布部との軸心同士が概ね合った状態で、使用者は鏡を見ながら塗布に供することができる。従って、使用性を一層向上できる。
【発明の効果】
【００１０】
このように本発明によれば、鏡を見ながら化粧をする際に容器が邪魔にならず塗布先が見やすく、且つ、使用性を向上できる液状化粧料容器を提供できる。
【図面の簡単な説明】
【００１１】
【図１】本発明の実施形態に係る液状化粧料容器を示す縦断面図である。
【図２】図１に示す液状化粧料容器からキャップを取り外した状態を示す正面図である。
【図３】図１及び図２中の先筒を示す正面図である。
【図４】図３に示す先筒の左側面図である。
【図５】図４のV-V矢視図である。
【図６】図３のVI-VI矢視図である。
【図７】図１中の中継芯の組み込み前の状態を示す正面図である。
【発明を実施するための形態】
【００１２】
以下、本発明による液状化粧料容器の好適な実施形態について図１〜図７を参照しながら説明する。図１は、液状化粧料容器を示す縦断面図、図２は、図１からキャップを取り外した正面図、図３〜図６は、先筒を示す各図、図７は、中継芯の組み込み前の状態を示す正面図であり、本実施形態の液状化粧料容器は、液状化粧料を被塗布部に塗布する際に用いられるものである。
【００１３】
図１及び図２に示すように、液状化粧料容器１００は、容器外形を構成する容器本体１及び先筒２と、図１に示すように、容器本体１内に収容された中綿３と、容器本体１及び先筒２内に収容されると共に先筒２の先端の開口２ａから突出する中継芯４と、中継芯４の先端部分である塗布部４ａ（詳しくは後述）を保護すべく容器本体１の先端側に着脱自在に装着されたキャップ５と、備える。
【００１４】
容器本体１は、例えばＰＰ等から形成され、先細の段付き円筒状に構成される。容器本体１の後端の開口は、尾栓６を容器本体１に装着することにより閉じられ、容器本体１の外周面の段差部より後側に形成された内部空間が、液状化粧料を収容するための収容部１ａとされる。そして、収容部１ａに、液状化粧料を含浸した中綿３が充填される。中綿３は、例えばポリエステル等から形成され、その後端に配置されたアジャスター７によりそのサイズが調節可能とされる。
【００１５】
中綿３に含浸される液状化粧料を、ここでは、特に好ましいとして、アイライナー化粧料とし、液状化粧料容器をアイライナー化粧料容器としているが、液状化粧料を例えばアイブロウや、ヘアマスカラ等の他の液状化粧料とすることもできる。
【００１６】
先筒２は、中継芯４を保持するホルダとして機能するものであり、例えばＰＰ等から形成され、筒状に構成される。先筒２は、図３及び図５に示すように、容器本体１の軸心Ｃ１と同軸に位置し概ね直線状に延びる基部２ｂと、基部２ｂの先端から湾曲するようにして（折れ曲がるようにして）傾斜する傾斜部２ｃと、を備える。
【００１７】
基部２ｂは、軸心Ｃ１に沿って円筒が先細となる先細円筒部２ｄと、先細円筒部２ｄの後端に対して段差面２ｅを介して連設され小径とされた小径円筒部２ｆと、を備える。
【００１８】
小径円筒部２ｆは、容器本体１の先端部内に挿入される部分であり、その外周面の対向する位置に、図３、図５及び図６に示すように、コの字状に切り欠くことにより筒内外を連通し、後部が片持ち支持されたバネ部２ｇ，２ｇが設けられる。このバネ部２ｇの先端側で外周側の凸部２ｈが、容器本体１の先端部の内周面に当接する部分であり、バネ部２ｇの先端側で内周側の端部が、中継芯４を係合するための係合端部２ｉとされる。
【００１９】
傾斜部２ｃは、図３〜図６に示すように、先細円筒部２ｄの先端に傾斜して続き円筒状を成し、図３に示す傾斜部２ｃの傾斜角度（容器本体１の軸心Ｃ１と傾斜部２ｃの軸心Ｃ２とが成す角度）αより、図５に示す傾斜部２ｃの筒孔２ｊの傾斜角度（容器本体１の軸心Ｃ１と傾斜部２ｃの筒孔２ｊの軸心Ｃ３とが成す角度）βの方が大きくなっている。
【００２０】
すなわち、傾斜部２ｃの筒孔２ｊの軸心Ｃ３は、傾斜部２ｃの軸心Ｃ２が容器本体１の軸心Ｃ１に対して傾斜する傾斜方向（図示下方）と同方向に、さらに傾斜部２ｃの軸心Ｃ２より傾斜する構成となっている。
【００２１】
中継芯４は、軸状に構成され、図１に示すように、容器本体１及び先筒２内に配置される。この中継芯４は、毛細管現象を発現できるものであり、例えば、アクリル、ポリエステル、ナイロン等の合成繊維を樹脂で接着したものを研磨加工したものや、シート状の合成繊維を打ち抜き加工したものや、ポリウレタンポーラスを金型で成形したもの等、種々のものを採用できる。
【００２２】
中継芯４は、先筒２に組み込まれる前は、図７に示すように、直線状に軸心に沿って延在している。中継芯４は、先端側が小径部４ｂとして軸心方向に沿って延び、この小径部４ｂより後側が大径の大径部４ｃとなっている。大径部４ｃの軸心方向途中には、先筒２の係合端部２ｉが進入するための溝４ｄが一対対向して形成される。
【００２３】
そして、上記のような材質から成り直線状に延在する中継芯４は、曲げられた状態で液状化粧料を含浸すると、曲げられた部分が元の形状に戻るように反る特性を有する。
【００２４】
このような中継芯４は、図１に示すように、その先端側が、先筒２の基部２ｂの筒孔に内挿され、中継芯４の先端側の小径部４ｂが、傾斜部２ｃの筒孔２ｊに倣うように曲げられて（湾曲して）傾斜している。そして、中継芯４の先端部は、先筒２の開口２ａから突出し、この突出部分が塗布部４ａとされる。この塗布部４ａは、所謂チップと呼ばれているものと同様な機能を果たす。
【００２５】
このように中継芯４を組み込んだ先筒２が、中綿３を収容した容器本体１に対して装着される前の状態、すなわち、中継芯４が液状化粧料を含んでいない（含浸していない）状態では、傾斜部２ｃの筒孔２ｊの軸心Ｃ３（図５参照）と、先筒２の開口２ａから突出している塗布部４ａの軸心とは一致しており（同軸に位置しており）、塗布部４ａの軸心は、傾斜部２ｃの軸心Ｃ２（図３参照）が容器本体１の軸心Ｃ１に対して傾斜する傾斜方向と同方向（図示下方）に、さらに傾斜部２ｃの軸心Ｃ２より傾斜する構成となっている。すなわち、傾斜部２ｃの軸心Ｃ２と塗布部４ａの軸心とは、ずれた状態（同軸にない状態）にある。
【００２６】
このような中継芯４を有する先筒２は、図１に示すように、その基部２ｂの小径円筒部２ｆが、容器本体１の先端部の筒孔に内挿され、その段差面２ｅが、容器本体１の先端面に当接した状態で、先筒２のバネ部２ｇの凸部２ｈ（図６参照）が、容器本体１の内周面に当接し圧接されることにより、容器本体１に装着されると共に、この圧接によりバネ部２ｇが内側に押圧され、その係合端部２ｉ（図６参照）が、中継芯４の溝４ｄ（図７参照）に進入することにより、先筒２に対して中継芯４が装着される。また、この状態で、先筒２の筒孔が容器本体１の収容部１ａに連通し、中継芯４の後端部が、収容部１ａ内に位置し中綿３に差し込まれた状態となる。
【００２７】
すなわち、図１及び図２に示す液状化粧料容器１００が構成されると、中綿３に含浸された液状化粧料は、中継芯４の毛細管現象により中継芯４に吸い上げられて先端の塗布部４ａへ送られ、中継芯４が液状化粧料を含浸した状態となる。
【００２８】
すると、中継芯４のうち傾斜部２ｃ内の小径部４ｂは、傾斜部２ｃの筒孔２ｊに倣って傾斜したままであるが、塗布部４ａは、傾斜する前の元の状態に戻ろうと反り返り、傾斜部２ｃの軸心Ｃ２（図３参照）に塗布部４ａの軸心が近付き、傾斜部２ｃと塗布部４ａとの軸心同士が概ね合うようになる（同軸に位置するようになる）。すなわち、傾斜部２ｃと塗布部４ａとの軸心同士が概ね合った状態（同軸に位置した状態）で、傾斜部２ｃの先端面に対して塗布部４ａがほぼ直交するようにして真っ直ぐ突出した状態の図１及び図２に示す液状化粧料容器１００が得られる。
【００２９】
このような本実施形態によれば、容器本体１の先端側の先筒２が、容器本体１の軸心Ｃ１に対して傾斜する傾斜部２ｃを有しているため、鏡を見ながら化粧をする際に容器が邪魔にならず塗布先が見やすく、使用性を向上できる。
【００３０】
また、傾斜部２ｃの筒孔２ｊの軸心Ｃ３が、傾斜部２ｃの軸心Ｃ２が容器本体１の軸心Ｃ１に対して傾斜する傾斜方向と同方向に、さらに傾斜部２ｃの軸心Ｃ２より傾斜しているため、先筒２の先端の開口２ａから突出する塗布部４ａが元に戻ろうと反ると、傾斜部２ｃの軸心Ｃ２に塗布部４ａの軸心が近付き、傾斜部２ｃと塗布部４ａとの軸心同士が概ね合った状態で、使用者は鏡を見ながら塗布に供することができる。従って、使用性を一層向上できる。
【００３１】
以上、本発明をその実施形態に基づき具体的に説明したが、本発明は上記実施形態に限定されるものではなく、例えば、上記実施形態においては、容器本体１の収容部１ａ内に液状化粧料を含んだ中綿３を収容し、中綿３から液状化粧料を中継芯４を通して当該中継芯４先端の塗布部４ａへ送る中綿式の液状化粧料容器に対する適用を述べているが、収容部１ａ内に液状化粧料を直接充填し、この液状化粧料を中継芯４を通して塗布部４ａへ供給する液状化粧料容器に対しても適用できる。
【００３２】
また、上記実施形態においては、先筒２は基部２ｂと傾斜部２ｃを有する構成となっているが、先筒全体が傾斜部であっても良い。また、先筒２と容器本体１を一体品としても良い。
【００３３】
また、塗布部４ａを有する中継芯４を、例えば毛筆やブラシ等の形態に代えても良い。
【００３４】
また、液状化粧料容器を、押出機構により液状化粧料を押し出す液状化粧料容器や、使用者の押圧力により液状化粧料を押し出すことができるチューブやソフトボトル等のスクイーズタイプの液状化粧料容器としても良い。
【符号の説明】
【００３５】
１…容器本体、１ａ…収容部、２…先筒、２ａ…開口、２ｃ…傾斜部、２ｊ…傾斜部の筒孔、３…中綿、４…中継芯、４ａ…塗布部、１００…液状化粧料容器、Ｃ１…容器本体の軸心、Ｃ２…傾斜部の軸心、Ｃ３…傾斜部の筒孔の軸心、α…容器本体の軸心と傾斜部の軸心との成す角度、β…容器本体の軸心と傾斜部の筒孔の軸心との成す角度。
【図１】
0006710829.tif 000002
【図２】
0006710829.tif 000003
【図３】
0006710829.tif 000004
【図４】
0006710829.tif 000005
【図５】
0006710829.tif 000006
【図６】
0006710829.tif 000007
【図７】
0006710829.tif 000008